(57)【要約】 【課題】  本発明は、形状が単純で定形化されており、大量生産が可能で、安価な防水用の屋上パネルであって、強風下、強雨下であっても太陽電池の剥離が防止され、排水が容易な防水用の屋上パネル及び該屋上パネルを用いた屋上構造を提供することを、その課題とするものである。【解決手段】    本発明の屋上パネル１は、屋上に敷き詰められる四辺形の防水パネルであり、硬質樹脂からなる表皮２と、該表皮の裏面に設けられた発泡樹脂からなる断熱材１１とを有し、該ネル１の裏面には多数の突起１２ａが形成されており、表皮２からなる四辺形の周囲には、一定幅の平坦なフランジ部３が四辺形の周囲に沿って設けられており、フランジ部３の内側に沿って、土手部４が設けられており、土手部４の内側の凹部の底が、一の土手部４ａから一の土手部４ａに対向する土手部に向かって下る斜面５を形成し、斜面下側の土手部４ｂに排水用溝１６が設けられていることを特徴とする。【選択図】      図２
2011012484.tif 000002
【特許請求の範囲】
【請求項１】
屋上に敷き詰められる四辺形の防水パネルであり、
硬質樹脂からなる表皮と、該表皮の裏面に設けられた発泡樹脂からなる断熱材とを有し、
該パネルの裏面には多数の突起が形成されており、
該表皮からなる四辺形の周囲には、一定幅の平坦なフランジ部が四辺形の周囲に沿って設けられている屋上パネルにおいて、
前記フランジ部の内側に沿って、土手部が設けられており、
該土手部の内側の凹部の底が、一の土手部から該一の土手部に対向する土手部に向かって下る斜面を形成し、
該斜面下側の土手部に排水用溝が設けられていることを特徴とする屋上パネル。
【請求項２】
前記各土手部の外側下端部に、雨返し用凹部が設けられ、該凹部の高さが奥に向かって大きくなっていることを特徴とする請求項１に記載の屋上パネル。
【請求項３】
前記斜面の勾配が１０〜３０°である請求項１又は２に記載の屋上パネル。
【請求項４】
前記斜面の傾斜方向を向く補強リブが設けられている請求項１〜３のいずれかに記載の屋上パネル。
【請求項５】
太陽電池モジュールが、その長手方向を前記斜面の傾斜方向を向けて設置されている請求項１〜５のいずれかに記載の屋上パネル。
【請求項６】
前記斜面の上側と下側の対向する土手部の内側下端部に、固定用凹部が設けられており、パッキンが該固定用凹部と太陽電池モジュールとの間に挿入されている請求項５に記載の屋上パネル。
【請求項７】
前記斜面の傾斜方向を向く土手部に、配線用溝が形成されている請求項５又は６に記載の屋上パネル。
【請求項８】
前記排水用溝が、通水可能な網で覆われていると共に、前記土手部の内側の凹部に植栽可能に土が盛られている請求項１〜４のいずれかに記載の屋上パネル。
【請求項９】
四辺形の防水パネルが屋上に敷き詰められていると共に、少なくとも一の防水パネルが請求項１〜８に記載の屋上パネルであり、
該防水パネルが、その端面同士を当接させて敷きつめられているか、又は必要に応じて防水パネルの端面間に空間を設けて、端面同士が平行になるように敷きつめられ、さらに四枚の防水パネルの角部により十字型の空間が形成された部分に、十字型の固定部材が載置されており、
四枚の防水パネルの角部が交わる中心、又は必要に応じて設けられた十字型の固定部材の中心にアンカボルトが打ち込まれることにより、該アンカボルトの頭で四枚のパネルの角が固定されていることを特徴とする建物の屋上構造。  
【請求項１０】
少なくとも一の防水パネルが請求項２〜８に記載の屋上パネルであり、
敷きつめられた防水パネルの前記フランジ部と必要に応じて設けられる前記固定部材の上に防水シートが貼着され、
さらに該防水シートの先端が前記雨返し用凹部が形成された土手部近傍に当接するように貼着されていると共に防水シートの先端部に防水シール部が設けられている請求項９に記載の建物の屋上構造。  
【発明の詳細な説明】
【技術分野】
【０００１】
本発明は、屋上パネル及び該屋上パネルを用いた屋上構造に関する。
【背景技術】
【０００２】
近年、環境保護及び太陽エネルギーの有効利用の観点から、建物の屋上に太陽電池モジュールを設置することが行なわれている。しかし、建物の屋上、特に高層ビルの屋上では、通常時においても相当に強い風が吹き、さらに台風の際には激しい風が吹きつける。このような状況下でも、敷きつめられた太陽電池モジュールが剥がれないようにしなければならない。また、雨が降った場合に、太陽電池モジュールが水浸しにならないような排水が要求される。
【０００３】
一方、防水目的の屋上パネルがビルの屋上に敷き詰められる工法がある。該屋上パネルも、強い風が吹いても剥がれないようにしなければならない。更に、屋上パネル自体は安価であり、かつ、施工が容易であることも要求される。そのような屋上パネルとして、特許文献１に開示されたものがある。
【０００４】
しかし、特許文献１の屋上パネルは、形状が単純で、定形化されたパネルで施工が容易ではあるが、前記太陽電池モジュールを設置できるものではない。
【先行技術文献】
【特許文献】
【０００５】
【特許文献１】特許第３３８１０６３号公報
【発明の概要】
【発明が解決しようとする課題】
【０００６】
本発明は、形状が単純で定形化されており、大量生産が可能で、安価な防水用の屋上パネルであって、強風下であっても太陽電池の剥離が防止され、、強雨下であっても排水が容易な防水用の屋上パネル及び該屋上パネルを用いた屋上構造を提供することを、その課題とするものである。
【課題を解決するための手段】
【０００７】
本発明によれば、以下に示す屋上パネル、屋上構造が提供される。
［１］
屋上に敷き詰められる四辺形の防水パネルであり、
硬質樹脂からなる表皮と、該表皮の裏面に設けられた発泡樹脂からなる断熱材とを有し、
該パネルの裏面には多数の突起が形成されており、
該表皮からなる四辺形の周囲には、一定幅の平坦なフランジ部が四辺形の周囲に沿って設けられている屋上パネルにおいて、
前記フランジ部の内側に沿って、土手部が設けられており、
該土手部の内側の凹部の底が、一の土手部から該一の土手部に対向する土手部に向かって下る斜面を形成し、
該斜面下側の土手部に排水用溝が設けられていることを特徴とする屋上パネル。
［２］
前記各土手部の外側下端部に、雨返し用凹部が設けられ、該凹部の高さが奥に向かって大きくなっていることを特徴とする前記１に記載の屋上パネル。
［３］
前記斜面の勾配が１０〜３０°である前記１又は２に記載の屋上パネル。
［４］
前記斜面の傾斜方向を向く補強リブが設けられている前記１〜３のいずれかに記載の屋上パネル。
［５］
太陽電池モジュールが、その長手方向を前記斜面の傾斜方向を向けて設置されている前記１〜５のいずれかに記載の屋上パネル。
［６］
前記斜面の上側と下側の対向する土手部の内側下端部に、固定用凹部が設けられており、パッキンが該固定用凹部と太陽電池モジュールとの間に挿入されている前記５に記載の屋上パネル。
［７］
前記斜面の傾斜方向を向く土手部に、配線用溝が形成されている前記５又は６に記載の屋上パネル。
［８］
前記排水用溝が、通水可能な網で覆われていると共に、前記土手部の内側の凹部に植栽可能に土が盛られている前記１〜４のいずれかに記載の屋上パネル。
［９］
四辺形の防水パネルが屋上に敷き詰められていると共に、少なくとも一の防水パネルが請求項１〜８に記載の屋上パネルであり、
該防水パネルが、その端面同士を当接させて敷きつめられているか、又は必要に応じて防水パネルの端面間に空間を設けて、端面同士が平行になるように敷きつめられ、さらに四枚の防水パネルの角部により十字型の空間が形成された部分には、十字型の固定部材が載置されており、
四枚の防水パネルの角部が交わる中心、又は必要に応じて設けられた十字型の固定部材の中心にアンカボルトが打ち込まれることにより、該アンカボルトの頭で四枚のパネルの角が固定されていることを特徴とする建物の屋上構造。  
［１０］
少なくとも一の防水パネルが請求項２〜８に記載の屋上パネルであり、
敷きつめられた防水パネルの前記フランジ部と必要に応じて設けられる前記固定部材の上に防水シートが貼着され、
さらに該防水シートの先端が前記雨返し用凹部が形成された土手部に当接するように貼着されていると共に防水シートの先端部に防水シール部が設けられている前記９に記載の建物の屋上構造。  
【発明の効果】
【０００８】
本発明の屋上パネルは、フランジ部の内側に沿って土手部が設けられているので、強い風が吹いても土手部が風の強さを和らげることにより、土手部に囲まれた凹部の底に設置された太陽電池モジュールの剥離や損傷を防ぐことができる。また、該凹部に土を盛り植栽した場合には、植物の損傷を防ぐことができる。
更に、土手部に囲まれた凹部の底は斜面として形成され、斜面下側の土手部には排水用溝が形成されていることにより、効率よく排水が行なわれるので、前記太陽電池モジュールや植物が水浸しになることが防止される。
【図面の簡単な説明】
【０００９】
【図１】図１は、本発明屋上パネルの平面図である。
【図２】図２は、図１のＡ−Ａ線に沿う断面図である。
【図３】図３は、図１のＢ−Ｂ線に沿う断面図である。
【図４】図４は、本発明屋上パネルの裏面図である。
【図５】図５は、太陽電池モジュールが設置された屋上パネルの平面図である。
【図６】図６は、図５のＣ−Ｃ線に沿う断面図であり、図５（ｂ）は、図５（ａ）のＤ部の部分拡大図である。
【図７】図６は、本発明の屋上パネルと他の防水パネルを用いた屋上構造の一例を示す斜視図である。
【図８】固定部材の斜視図である。
【図９】パネルの固定法の一例を示す断面図である。
【図１０】パネルの固定法の他の例を示す断面図である。
【発明を実施するための形態】
【００１０】
以下、本発明の屋上パネルについて、図面を用いて詳細に説明する。
本発明の屋上パネルは、建物の屋上、特にビルの屋上に敷き詰めることにより、建物に対する防水効果、断熱効果を発揮し、更に太陽電池モジュールの設置や、植栽を容易に行なうことができるものである。
該屋上パネルの一例を図１、２、３、４に示す。図１は本発明屋上パネルの平面図、図２は図１のＡ−Ａ線に沿う断面図、図３は図１のＢ−Ｂ線に沿う断面図であり、図４は裏面図である。
図１〜４において、１は本発明の屋上パネルを、２は表皮を、３はフランジ部を、４（４ａ、４ｂ、４ｃ、４ｄ）は土手部を、５は土手部に囲まれた凹部の底の斜面を、６は排水用溝を、７は雨返し用凹部を、８は固定用凹部を、９はリブを、１１は断熱材を、１２ａは突起を、１２ｂは突起により形成される空間を、１３は平板を、１４はウレタンフォームを、１５は角段部を、１６は配線用溝を、それぞれ示す。
【００１１】
本発明の屋上パネルは平面視四辺形であり、施工性に優れることから図１に示すような長方形が好ましく、正方形にすることもできる。
【００１２】
本発明の屋上パネルにおける表皮２の四辺には、平らなフランジ部３が形成されている。フランジ部３は一定幅であることが好ましい。更に表皮の角部には、角段部１５が設けられていることが好ましい。角段部１５が設けられていると、図７に示すように多数の本発明屋上パネル１や他の屋上パネル３１を屋上に敷きつめて、屋上パネルや他の屋上パネル３１の角を押さえ板３３で押さえて固定する際に、後述するように、押さえ板３３の上面とフランジ部３の上面を一致させることができる。これにより、後述するように防水シート材３７を貼着する場合、シート材３７の表面が平坦面になり、シート材３７の浮き上がりがなくなって密着性が良くなり、経時的な剥離が起きないようになる。  
【００１３】
前記フランジ部３の内側には、フランジ部３に沿って、土手部４が設けられている。これにより、強風が吹いても風の強さを和らげて、土手部４に囲まれた凹部の底に固定された太陽電池モジュールの剥離や損傷を防ぐことができる。また、該凹部に土を盛り植栽した場合には、植物の損傷を防ぐことができる。
【００１４】
土手部４の側壁は、フランジ部３に対して垂直に形成されていることが、加工し易いので好ましい。
【００１５】
本発明の屋上パネルの表皮２においては、土手部４で囲まれた内側の凹部の底が、対向する土手部を構成する一の土手部４ａから他方の土手部４ｂに向かって下る斜面５を形成している。このような斜面５が形成されていると、該凹部内に降り注いだ雨を斜面５に沿って流すことにより、効率の良い排水を行なうことができる。
なお、図１、図２においては、斜面の勾配が屋上パネル１の短手方向に向いているが、斜面の勾配を長手方向に向けることもできる。
【００１６】
効率よく排水を行なうためには、斜面の勾配は５〜４０°が好ましく、より好ましくは１０〜３０°、更に好ましくは１５〜２５°である。
【００１７】
斜面５の下側に設けられた土手部４ｂには、前記斜面５を流れ下った雨水を排水するための排水用溝６が形成されている。排水用溝６の形状に制限はないが、作製が容易であることから、土手部４ｂの上から下まで長方形の断面形状に切りかかれていることが好ましい。但し、下部に孔として形成されていてもよい。
本発明の屋上パネルに太陽電池モジュールを設置する場合、太陽電池モジュールの両側から雨が流れ落ちるので、図１に示すように、設置された太陽電池モジュールの両側に排水用溝６を形成することが好ましい。
【００１８】
前記四辺に設けられた土手部４の外側下端部には、雨返し用凹部７が設けられていることが好ましい。、凹部７の高さは奥に向かって大きくなるように形成することにより、土手部４の外側を流れてきた雨は、凹部７の中に回り込んで土手部４の下端部の側壁を流れ落ちることが防止される。従って、後述するように、防水シートをフランジ部３を覆うように、且つ防水シートの先端が土手部４に当接するように貼着し、更に防水シートの土手部側先端部を防水シールすることにより、防水性能の向上を図ることができる。
【００１９】
本発明の屋上パネルの表皮２には、斜面５の上側と下側に設けられた、対向する土手部4ａ、４ｂの内側下端部に、固定用凹部８が設けられていることが好ましい。太陽電池モジュールを固定する場合、後述するように、固定用凹部８と太陽電池モジュールの間にパッキン、好ましくはゴムパッキンを挿入することにより、太陽電池モジュールを強固且つ確実に固定することができる。
【００２０】
固定用凹部８は、土手部４ａや土手４部ｂの全体にわたって形成することもできれば、パッキンを挿入するのに必要な長さだけ形成することもできる。
【００２１】
本発明の屋上パネルの表皮２の斜面５には、補強リブ９が設けられていることが好ましく、前記斜面５の傾斜方向を向く補強リブ９が設けられていることがより好ましい。補強リブ９は、前記下側の土手部４ｂに形成された排水用溝６と排水用溝６の間に一つづつ設けて、太陽電池モジュールを補強リブ９の上に設置することが好ましい。、
【００２２】
本発明の屋上パネル１に太陽電池モジュールを設置する場合には、前記斜面５の傾斜方向を向く土手部４ｃ、４ｄに、配線用溝６を形成することにより、配線作業の向上を図ることができる。
【００２３】
本発明の屋上パネル１の表皮２は硬質樹脂、好ましくは繊維強化硬質プラスチック（ＦＲＰ）からなるものである。
【００２４】
本発明の屋上パネルにおいては、前記表皮２の裏面には発泡樹脂からなる断熱材１１が設けられている。従って、屋上パネル１を建物の屋上に敷き詰めることにより、防水性と共に断熱性が確保される。断熱材１１の上面の形状は、前記表皮２の裏面の形状に対応させて表皮２の凹部を断熱材１１の凸部で塞ぐことにより、表皮２と断熱材１１の間に空間の形成による結露を防止することを要する。この場合、前記リブ９の裏側には表皮と同じ材料等からなる平板１６を挿入して、リブ９の裏側を塞ぐことができ、雨返し用凹部７や固定用凹部８が形成された土手部４の内部の空間を、現場発泡させたウレタンフォーム１４で満たすことができる。
【００２５】
屋上パネルの裏面には、図２、図３に示すように、多数の突起１２ａが形成されている。突起１２ａを設けて、屋上パネルと屋上の床面との間に多くの空間１２ｂを形成して通気層として機能させることにより、屋上の床面のコンクリートから蒸発する水分を含んだ空気を逃がし、水蒸気圧によるパネルの膨らみを防止することができる。この場合、突起１２ａは、断熱材の下に突起を有する裏面パネルを設けて、裏面パネルに形成することもできるが、前記断熱材１１に直接形成すれば、作業性を向上させ、安価な屋上パネルにすることができる。
なお、表皮２と断熱材１１とを固定するには、図１、図２に示すように、コの字型の固定ピン２５で両者を挟めばよい。
【００２６】
なお、図３においては、全ての突起１２ａが同一形状であるが、一部の突起の断面積を大きくして、強度を高めることもできる。
【００２７】
本発明の屋上パネルの土手部に囲まれた凹部に太陽電池モジュールを設置すれば、ビルの屋上等で発電を行なうことができる。この場合、太陽電池モジュールの長手方向を斜面５の傾斜方向を向けて設置すれば、排水を効率よく行なうことができる。また、リブ９が設けられている場合には、リブ９の上に載置することにより強度を確保することができる。
【００２８】
図５、図６に、３台の太陽電池モジュールが設置された屋上パネルの好ましい例を示す。図５は、太陽電池モジュールが設置された屋上パネルの平面図、図６（ａ）は図４のＣ−Ｃ線に沿う断面図、図６（ｂ）は図６（ａ）のＤ部の部分拡大図である。
図５、図６において、２１は太陽電池モジュールを、２２はパッキンを、２３はＴ字型固定具をそれぞれ示す。
【００２９】
太陽電池モジュール２１は、図５、図６に示すように、通常その長手方向が斜面５の傾斜方向と一致するように設置される。このようにすると、雨水が斜面５を流れ落ちて、排水用溝６から効率よく排水される。なお、太陽電池モジュール２１は前記斜面５の傾斜方向に形成されたリブ９の上に設置することが、強度が確保されるので好ましい。
【００３０】
太陽電池モジュール２１を屋上パネル１に固定する方法に制限はないが、図５、図６に示すように、パッキン２２を前記斜面５の上下の土手部４ａ、４ｂのそれぞれの内側下端部に形成された固定用凹部８と太陽電池モジュール２１との間に挿入し、図６（ａ）（ｂ）に示すように、Ｔ字型の固定具２３の下方に伸びる部分を固定用凹部８と太陽電池モジュール２１が当接された面に差込む方法が、作業性に優れ、確実に太陽電池モジュール２１をしっかりと固定できるので、好ましい方法である。
【００３１】
太陽電池モジュール２１の電気系統の配線は、前記配線用溝１６を通すことにより作業性の向上を図ることができる。但し、配線用溝１６は必ずしも設ける必要はなく、例えば、前記排水用溝６を通すこともできる。
【００３２】
本発明の屋上パネル１は、ビルの屋上等における植栽用に用いることができる。その場合、前記排水用溝６と必要に応じて前記配線用溝１６を通水可能な網で覆い、さらに前記土手部４の内側の凹部（斜面５の上）に土を盛って、植物を植えればよい。
【００３３】
次に、本発明の屋上構造について説明する。
本発明の屋上構造は、図７に示すように、四辺形の防水パネル１、３１が屋上に敷き詰められたものであり、防水パネルの少なくとも一つが本発明の屋上パネル１である。該屋上構造は、ビルの屋上構造として好適なものであるが、それ以外にも、例えばプレハブのコンクリート建築にも好適に用いることができる。
【００３４】
該屋上構造は、前記屋上パネル１のみで構成することもできれば、屋上パネル１と他の防水パネルとを組み合わせることもできる（以下、屋上パネル１と他の防水パネルとを総称して単にパネルともいう。）。他の防水パネルとしては、寸法さえ合えば如何なるものでも使用することができる。例えば、特許文献１に記載されている屋上パネル３１を用いることができる。図７に、本発明の屋上パネル１と特許文献１の屋上パネル３１とを組み合わせて構成した屋上構造の一例を示す。図７は、本発明の屋上パネルと他の防水パネルを用いた屋上構造の一例を示す斜視図である。なお、本発明の屋上パネルと、従来公知のウレタン防水工法、シート防水工法、アスファルト防水工法等とを組合わせることもできる。
【００３５】
特許文献１の屋上パネル３１は、四辺形であり、各四辺に一定幅で平坦なフランジ部が形成され、該フランジ部から所定の傾斜角度で隆起させて稜線で形成された角錐状の凸形のパネル面が形成され、該パネルは硬質樹脂からなる表皮と、表皮の裏面に設けられた発泡樹脂からなる断熱層とを有し、パネルの裏面には、多数の突起を形成し、屋上の床面との間に多くの通気層が形成されたものである。該屋上パネル３１は、四辺形（具体的には、長方形か正方形）であること、四辺にフランジ部が形成されていること、表皮と断熱層とを有すること、パネルの裏面に多数の突起が形成されていることが、本発明の屋上パネル１と共通するものである。従って、基本的な寸法が一致すれば、本発明の屋上パネル１と組み合わせることにより、容易に屋上構造を形成できるものである。
【００３６】
次に、パネル同士を敷き詰めて目地を形成する方法、該目地の防水方法、パネルをコンクリートの壁に固定する方法について、本発明の屋上パネル１と特許文献１の屋上パネル３１とを組み合わせて敷き詰める場合を例にとって説明する。
【００３７】
建物の屋上に、本発明の屋上パネル１や特許文献１の屋上パネル３１を敷き詰める場合、屋上パネル１同士の端面、屋上パネル１と屋上パネル３１の端面は、図８に示す細長い平板状の２本のメンバー３２ａ、３２ｂが十字型に組み合わされた固定部材３２を用い、図９に示すように、十字型の固定部材３２の十字にパネルの辺を沿わせて敷きつめることができる。また、図１０に示すように、パネル同士を直接当接させて目地を形成することもできる。
【００３８】
十字型の固定部材３２を用いた場合、メンバー３２ａ、３２ｂからなる十字型の先端部が屋上パネル１の上に載置されるが、十字型の下部の殆どは空間として形成されることから、空気が十字型の下部を流れるようになっているので、防水パネル間の隙間は空気通路となり、屋上の床面３０のコンクリートから蒸発する水分を含んだ空気を逃がすことによって、水蒸気圧によるパネルの膨らみが防止される。  
【００３９】
十字型の固定部材３２は、縦長の平板状の２本のメンバー３２ａ、３２ｂを十字に組み合わせて形成することもできれば、最初から一の部材として十字型の固定部材を作製することもできる。また、引用文献１に記載されているように、コの字型の２本のメンバーを組み合わせることもできる。
【００４０】
前記メンバー３２ａ、３２ｂの上面中央部にはアンカボルト３４を挿通するための孔３２ｃが形成されており、孔３２ｃはメンバー３２ａ、３２ｂを組み合わせて形成される十字の中心に位置するようにあけられている。パネルを屋上のコンクリート面３０に固定するには、固定筒３５を該十字の中心の真下のクンクリートに打ち込み、アンカボルトの足３４ｂを押さえ板３３の中央の孔に挿通し、次に該足３４ｂを孔３２ｃに挿通し、更にアンカボルトの足３４ｂを固定筒３５に打ち込んで、図８に示すように、アンカボルトの頭３４ａで押さえ板３３を押さえ、押さえ板３３で固定部材３２と共に、屋上パネル１と屋上パネル３２からなる４枚のパネルを固定する。なお、十字型の固定部材３２は、前記角段部１５の上に載置されるので、格段部１５はその機能を果たさないが、アンカボルトの頭３４ａや押さえ板３３の厚みは薄いので、後述するよう、防水シートを貼着しても、防水シートが大きく盛り上がるということはない。
【００４１】
図１０に示すように、パネル同士を直接当接させて目地を形成した場合には、４枚のパネルが当接された目地が十字型を形成するように、パネルを敷き詰め４つの角部が集中している十字型の中心の真下のクンクリートに固定筒３５を打ち込み、アンカボルトの足３４ｂを押さえ板３３の孔に挿通し、次にアンカボルトの足３４ｂを十字型の中心を通して固定筒３５に打ち込んで、図１０に示すように、アンカボルトの頭３４ａで押さえ板３３を押さえ、押さえ板３３で固定部材３２と共に、屋上パネル１と屋上パネル３２からなる４枚のパネルを固定する。このとき、屋上パネル１の角に角段部１５が設けられ、屋上パネル３２にも同様の角段部が設けられていると、図８に示すように、押さえ板３３の上面とフランジ部３の上面を一致させることができる。
【００４２】
前記十字型の固定部材３２を用いて、パネルを敷き詰めた場合、即ち、防水パネルの端面間に空間を設けて、端面同士が平行になるように敷きつめさらに四枚の防水パネルの角部により十字型の空間が形成された部分に、十字型の固定部材を載置した場合、固定部材３２のメンバー３２ａ、３２ｂの下部、更に短い固定部材３２が届かないパネルの目地部には、隙間ができる。そして、この隙間を塞いで、屋上パネル１のフランジ部３と前記屋上パネル３１のフランジ部３６とを覆うように防水シート材３７が貼着される。防水シート材３７の本発明屋上パネル１側の先端は、図９に示すように、雨返し用凹部７の最奥まで、雨返し用凹部７が形成された土手部４に当接するように貼着されると共に防水シート３７の先端部に、変性シリコン等の弾性シーリング材を用いた防水シール部３８が設けられる。このように雨返し用凹部７の最奥に防水シール部３８が設けられていると、土手部４の壁に沿って流れ落ちた雨水が雨返し用凹部７の中に回り込むことなく真下に落下するので、防水シール部３８が水浸しになることを防ぎ、更に雨水が防水シート３７とフランジ部３との間に侵入することを防ぐことができる。
【００４３】
パネル同士を直接当接させた場合も、図１０に示すように、屋上パネル１側のフランジ部３と前記屋上パネル３１のフランジ部３６とを覆うように防水シート材３７が貼着される。更に、防水シート材３７の本発明屋上パネル１側の先端は雨返し用凹部７の最奥まで、雨返し用凹部７が形成された土手部４に当接するように貼着されると共に防水シート３７の先端部に、防水シール部３８が設けられる。
【００４４】
なお、前記屋上パネル３１の詳細については、特許文献１を参照されたい。また、特許文献１に記載の隅パネルを本発明の屋上構造に用いることもできる。
【符号の説明】
【００４５】
１      屋上パネル
２      表皮
３      フランジ部
４（４ａ、４ｂ、４ｃ、４ｄ）  土手部
５      斜面
６    排水用溝
７      雨返し用凹部
８      固定用凹部
９      リブ
１１      断熱材
１２ａ    突起
１２ｂ    突起によって形成される空間
１３      平板
１４      ウレタンフォーム
１５      角段部
１６      配線用溝
２１      太陽電池モジュール
２２      パッキン
２３      Ｔ字型固定具
３０      コンクリート面
３１      特許文献１の屋上パネル
３２      十字型の固定部材
３２ａ、３２ｂ    メンバー
３２ｃ    孔
３３      押さえ板
３４      アンカボルト
３４ａ    アンカボルトの頭
３４ｂ    アンカボルトの足
３５      固定筒
３６      フランジ部
３７      防水シート
３８      防水シール部
【図１】
2011012484.tif 000003
【図２】
2011012484.tif 000004
【図３】
2011012484.tif 000005
【図４】
2011012484.tif 000006
【図５】
2011012484.tif 000007
【図６】
2011012484.tif 000008
【図７】
2011012484.tif 000009
【図８】
2011012484.tif 000010
【図９】
2011012484.tif 000011
【図１０】
2011012484.tif 000012